(57)【要約】      （修正有）【課題】シャッター型のメガネを合わせ、３Ｄソース／３Ｄテレビなしに、２Ｄテレビを通して３Ｄの効果を体験できる３Ｄコンバータボックスを提供する。【解決手段】２Ｄビデオストリームが入力モジュールからデコーダーモジュールに流れ込む。コントロールモジュールのシステム制御の状態で、もともとの写真からビデオデータの被写界深度データを作成して、ビデオ加速とレンダリングユニットに入って、データ・ストリームの一フレーム写真がミラーの第二フレーム写真を作成し、左、右二フレームになりる。そのとき、システムが二つのフレームの写真にマーク信号が生じる。デコーダーモジュールが所定のインターフェースを介し、コーデック後の３Ｄビデオ画面を出力するとともに、同期信号が同期信号拡大と発送モジュールでシャッター型のメガネに送り、左右レンズのスイッチに正確性の基準を提供して、シャッターメガネの同期スイッチが３Ｄテレビのような効果をもたらす。 【選択図】図１
0003179440.tif 000002
【実用新案登録請求の範囲】
【請求項１】
シャッター型の3Ｄコンバータボックスであって、入力モジュールと、出力モジュールと、デコーダーモジュールと、コントロールモジュールと、同期信号の拡大と発送のモジュールと、及び同期信号の受信と処理のモジュールとを備え、そのうち、入力モジュール、出力モジュール、同期信号の拡大と発送のモジュール、コントロールモジュールはデコーダーモジュールと接続し、前記入力モジュールと出力モジュールはそれぞれHDMI信号の入力ポートと出力ポートであることを特徴とする3Ｄコンバータボックス。
【請求項２】
前記同期信号の受付と処理モジュールはシャッター型のメガネで、これは8051のシングルチップと赤外線受付ユニットを備えることを特徴とする請求項１記載のシャッター型の3Ｄコンバータボックス。
【請求項３】
前記8051のシングルチップはリチウムイオン電池を配置することを特徴とする請求項２記載のシャッター型の3Ｄコンバータボックス。
【考案の詳細な説明】
【技術分野】
【０００１】
この実用新案は3Ｄビデオ伝送表示分野に属し、特にシャッター型の3Ｄコンバータボックスに関する。 
【背景技術】
【０００２】
アクティブシャッター型の3Ｄ技術は除算法遮光技術や液晶時間割技術を導き、主に液晶メガネで実用化し、そのメガネのレンズはそれぞれ二つのon/offの液晶ディスプレイを制御できる。メガネの液晶層が黒いと、普通には白即ち透明の状態を示し、通電後黒になる。信号発射装置により、3Ｄメガネとスクリーンが正確に同期し、スクリーンに交替で左、右目の画面を映写する。左の画面の時、左のメガネレンズを開いて、右のメガネレンズを閉めて、観衆は左の目で画面が見えるが、右の目が何も見えない。右の画面を放送する時、右の目は画面が見えるが、左の目が見えない。そうすると、左、右の目で各左、右の画面を見て、3Ｄ立体効果を感じることができる。アクティブシャッター型の3D技術の実現原理では、表示終端として信号をメガネに出力し、設備が特別であるため、現在の2Dテレビやディスプレイとの互換性がない。 
【考案の概要】
【考案が解決しようとする課題】
【０００３】
本考案はリアルタイム転換機能により、2Dビデオ信号を3Dビデオ信号に転換することができ、シャッター型のメガネを合わせ、3Dソース/3Dテレビなしに、2Dテレビを通して3Ｄの効果を体験できることを実現し、アクティブシャッター型の3D技術が2Ｄテレビとの互換性のない問題の解決を課題とする。
【課題を解決するための手段】
【０００４】
上記の技術問題を解決するために、本考案の解決手段は下記である。
【０００５】
シャッター型の3Ｄコンバータボックスは、入力モジュールと、出力モジュールと、デコーダーモジュールと、コントロールモジュールと、同期信号拡大と発送モジュールと、及び同期信号の受信と処理のモジュールとを備える。そのうち、入力モジュール、出力モジュール、同期信号拡大と発送モジュール、コントロールモジュールはデコーダーモジュールと接続し、前記入力モジュールと出力モジュールはそれぞれＨＤＭＩ信号の入力ポートと出力ポートである。デコーダーモジュールを主なモジュールとして、2Ｄビデオ信号処理を3Ｄデータ信号に転換し、コントロールモジュールが主に解読過程のシステムコントロールと同期信号の発生と転送を行い、同期信号拡大と発送モジュールが同期信号を拡大し、送る。 
【０００６】
さらに、前記同期信号受付と処理モジュールがシャッター型のメガネで、8051のシングルチップと赤外線受けユニットを備え、デコーダーモジュールからの同期信号を受け、処理し、シャッター型のメガネの左右レンズスイッチとデコーダーモジュールからの左右画面の正確な同期を制御する。 
【０００７】
さらに、このシャッター型のメガネ左右レンズがＴＦＴ  スクリーンである。
【０００８】
さらに、前記8051のシングルチップがリチウムイオン電池を配置して、ボタンの設計はチウムイオン電池の充電と放電、全てのモジュールのON/OFF、液晶スクリーンのドライブ、高低圧の発生などを管理する。
【０００９】
この実用新案の有利な効果として、一台の入力設備（2Ｄソースを放送するビデオプレーヤー）、一台の出力設備（2Dテレビ）を使い、2Dビデオ信号を2Ｄテレビに適用する3Dビデオ信号に転換でき、シャッター型のメガネを合わせ、すぐに3Ｄ番組の効果と楽しみを体験できる。 
【考案を実施するための形態】
【００１０】
以下、図１及び２によって詳しくこの実用新案の作動の流れと原理を説明する。    
【００１１】
図１のように、シャッター型の3Ｄコンバータボックスは入力モジュールと、出力モジュールと、デコーダーモジュールと、コントロールモジュールと、同期信号の拡大と発送のモジュールと、及び同期信号の受付と処理のモジュールとを備える。システム運行の流れは以下の通りである。
【００１２】
2Dビデオストリームが入力モジュールのHDMI信号入力ポートによってデコーダーモジュールに流れ込み、コントロールモジュールのシステム制御の状態で、もともとの写真からビデオデータの被写界深度データを作成して、ビデオ加速とレンダリングユニットに入って、データ・ストリームの一フレーム写真がミラーの第二フレーム写真を作成し、左、右二フレームになりる。そのとき、システムが二つのフレームの写真にマーク信号が生じる。デコーダーモジュールがHDMI出力ポートでコーデック後の３Dビデオ画面を出力するとともに、同期信号が同期信号拡大と発送モジュールでシャッター型のメガネに送り、左右レンズのスイッチに正確性の基準を提供して、シャッターメガネの同期スイッチが3Ｄテレビのような効果をもたらす。 
【００１３】
図２のように、シャッター型メガネの赤外線受付ユニットが同期信号拡大と発送モジュールからの同期信号を受け、中断入力口によって8051のシングルチップを入力、8051のシングルチップがこの同期信号を判断し、解読して、PWM信号を出力し、この信号が数字ロジック回路へ送り、高いレベルと低いレベルの論理判定をし、フェーズ・ロックして、二つのレンズのスイッチ信号を出力する。昇圧回路をドライブして、レンズＴＦＴスクリームに10〜12Ｖ或いは0Ｖの電圧を加え、シャッター型メガネの左右二つのレンズのスイッチ（on/off）を制御し、デコーダーの解読後の左右画面と正確に同期する。 
【００１４】
さらに、前記8051のシングルチップがリチウムイオン電池を配置して、ボタンの設計はリチウムイオン電池の充電と放電、全てのモジュールのON/OFF、液晶スクリーンのドライブ、高低圧の発生などを管理する。
【図面の簡単な説明】
【００１５】
【図１】図１はこの実用新案シャッター型の3Ｄコンバータボックスの構造原理のイメージ図である。
【図２】図２はこの実用新案シャッター型のメガネ構造原理のイメージ図である。図中、Ｌ  ＴＦＴが左のレンズの意味、Ｒ  ＴＦＴが右のレンズの意味。
【図１】
0003179440.tif 000003
【図２】
0003179440.tif 000004